(57)【要約】  本発明は、無線通信システムにおいて近隣リストを動的に形成する方法を提供する。本方法の実施形態は、少なくとも１つの移動ユニットによって提供される情報に基づいて、少なくとも１つのセクタに関連する近隣リストを形成することを含むことが可能である。
2009542104.tif 000002
【特許請求の範囲】
【請求項１】
少なくとも１つの移動ユニットによって提供される情報に基づいて、少なくとも１つのセクタに関連する近隣リストを形成するステップを含む方法。
【請求項２】
前記近隣リストを形成するステップは、
前記少なくとも１つの移動ユニットによって提供されるパイロット信号の少なくとも１回の測定を示す情報に基づいて、前記近隣リストを形成するステップと、
前記少なくとも１つの移動ユニットによる少なくとも１つのセクタに関連するパイロット信号の前記少なくとも１回の測定に基づいて、前記近隣リストに該少なくとも１つのセクタを追加するステップとを含み、前記近隣リストに前記少なくとも１つのセクタを追加するステップは、前記少なくとも１つのパイロット信号が、第１の閾値強度を超えた場合、前記近隣リストに前記少なくとも１つのセクタを追加するステップを含む請求項１に記載の方法。
【請求項３】
前記近隣リストに前記少なくとも１つのセクタを追加するステップは、前記少なくとも１つのパイロット信号の前記強度のいくつかの測定値が、所定の回数を超えて前記第１の閾値強度を超えた場合、前記近隣リストに前記少なくとも１つのセクタを追加するステップを含む請求項２に記載の方法。
【請求項４】
前記近隣リストを形成するステップは、前記少なくとも１つの移動ユニットによる前記少なくとも１つのセクタに関連するパイロット信号の前記少なくとも１回の測定に基づいて、前記近隣リストから少なくとも１つのセクタを取り除くステップを含み、前記近隣リストから前記少なくとも１つのセクタを取り除くステップは、前記少なくとも１つのパイロット信号の強度が、第２の閾値強度を下回って低下した場合、前記近隣リストから前記少なくとも１つのセクタを取り除くステップを含む請求項２に記載の方法。
【請求項５】
前記近隣リストから前記少なくとも１つのセクタを取り除くステップは、前記少なくとも１つのパイロット信号の前記強度のいくつかの測定値が、所定の回数を超えて前記第２の閾値強度を下回った場合、前記近隣リストから前記少なくとも１つのセクタを取り除くステップを含む請求項４に記載の方法。
【請求項６】
前記近隣リストを形成するステップは、少なくとも２つのセクタ間でソフトハンドオフ中である、またはソフトハンドオフ中であった少なくとも１つの移動ユニットによって提供される情報に基づいて、前記近隣リストを形成するステップを含み、前記近隣リストを形成するステップは、地理的ネットワーク・レイアウトマップ、無線周波数伝搬損失の理論上のモデル、および無線周波数伝搬損失の経験的モデルの少なくとも１つに基づいて、初期近隣リストを形成するステップを含み、前記近隣リストを形成するステップは、前記少なくとも１つの移動ユニットによって提供される前記情報を受信したことに応答して、前記少なくとも１つの移動ユニットによって提供される前記情報に基づいて、前記初期近隣リストを変更するステップを含む請求項１に記載の方法。
【請求項７】
少なくとも１つの移動ユニットから情報を提供して、少なくとも１つのセクタに関連する近隣リストが、前記情報に基づいて形成されるようにするステップを含む方法。
【請求項８】
前記情報を提供するステップは、前記少なくとも１つの移動ユニットによって実行されたパイロット信号の少なくとも１回の測定を示す情報を提供するステップを含む請求項７に記載の方法。
【請求項９】
前記情報を提供するステップは、前記パイロット信号の少なくとも１つの信号強度を示す情報を提供するステップを含む請求項８に記載の方法。
【請求項１０】
少なくとも２つのセクタ間のソフトハンドオフ中に、複数のセクタに関連する複数のパイロット信号の複数回の測定を実行するステップと、
前記ソフトハンドオフに関与する前記少なくとも２つのセクタに関連する複合近隣リストを受信するステップとを含み、前記複数回の測定を実行するステップは、前記複合近隣リストの中で示されるセクタに関連する複数のパイロット信号に対して複数回の測定を実行するステップを含む請求項７に記載の方法。
【発明の詳細な説明】
【技術分野】
【０００１】
本発明は、一般に、通信システムに関し、より詳細には、無線通信システムに関する。
【背景技術】
【０００２】
無線通信システムのサービスエリアは、セルと慣習的に呼ばれるいくつかの地理的区域に通常、分割される。無線ネットワークにおける各セルのサービスエリアは、そのセルにカバレッジを提供する基地局によって送信される無線信号の伝搬損失によって限定される。このため、各セルのサービスエリアは、基地局の位置および送信電力、ならびに妨害する物体のある場所におけるセルの地形によって決まる。例えば、セルのサービスエリアは、基地局の近くに建造物または山が存在する場合、小さくなる可能性がある。セルの境界は、固定的に定義をされず、時とともに変化する可能性がある。このため、サービスエリアは、複数の基地局が、重なり合う地域にカバレッジを提供することが可能であるように重なり合うことが可能であるが、これらの重なり合う地域内で提供される信号の強度は、異なる基地局に関して異なる可能性がある。
【０００３】
セルのサービスエリア内に位置する移動ユニットは、セルに関連する基地局を相手に、無線インタフェースとしばしば呼ばれる無線通信リンクを確立することによって、無線通信システムにアクセスすることができる。セルは、重なり合うことが可能であり、複数の基地局が、各移動ユニットに無線接続を提供する可能性があるので、移動ユニットは、無線通信ネットワークへの最良の接続を提供する基地局（および／または関連するセル）を通常、選択する。すると、選択された基地局は、その移動ユニットに関するサービスを提供する基地局となり、移動ユニットは、サービスを提供する基地局との無線通信リンク（または無線インタフェース）を形成することができる。
【０００４】
サービスを提供する基地局は、その無線インタフェースを介して提供されることが可能なサービス品質、その無線インタフェースを介して伝送される信号に関連するビット誤り率、信号強度、干渉などを含め、様々なパラメータを比較することによって選択されることが可能である。各基地局に関連する接続パラメータは、通常、各基地局によってブロードキャストされ、移動ユニットにおいて受信されるパイロット信号の測定を使用して割り出される。例えば、このパイロット信号は、ＣＤＭＡ（符号分割多元接続）プロトコルに従って動作する基地局によって送信される、変調されていない直接シーケンス拡散スペクトル信号などの、パイロット・チャネル上で伝送されることが可能である。このパイロット信号は、コヒーレントな復調のための位相基準またはタイミング基準、基地局間の信号強度比較またはサービス品質比較のための基準などを提供することが可能である。
【０００５】
近隣リストと慣習的に呼ばれる、現在のセクタに隣接するセクタのリストが、無線通信ネットワークのサービスエリア内の移動ユニットにブロードキャストされる。すると、移動ユニットは、この近隣リストを使用して、いずれの基地局が、サービスを提供する基地局の役割をすべきかを決定するのに監視されるべきパイロット信号を選択することができる。例えば、第１の基地局が、第１のセクタ内の移動ユニットに無線接続を提供していることが可能である。第１のセクタに関する近隣リストは、第２のセクタ、および第３のセクタが、第１のセクタに隣接していることを示すことが可能である。移動ユニットは、第１のセクタ、第２のセクタ、および第３のセクタに関連する１つまたは複数の基地局によって送信されるパイロット信号を監視することが可能である。移動ユニットがローミングして、隣接するセクタの１つのセクタに入った場合、監視されるパイロット信号は、いずれのセクタが、その移動ユニットに、より優れた接続を提供するかを示すことが可能であり、移動ユニットは、このセクタにハンドオフすることが可能である。
【０００６】
移動ユニットは、その移動ユニットを現在、含む（サービスを提供する）セクタの近隣であるセクタを正確に反映する近隣リストを、無線通信システムが提供することを頼りにする。近隣リストが、誤った情報を含む場合、移動ユニットは、誤ったパイロット信号、または存在しないパイロット信号を監視するように誤って誘導される可能性がある。したがって、不正確な近隣リストは、移動ユニットの実際のコンテキストと、近隣リストの中で示されるコンテキストとの不一致のために、アクセス障害、またはコール・ドロップを生じさせる可能性がある。
【０００７】
近隣リストは、従来、無線通信システムのサービスエリア内の様々な位置で実行される測定を使用して、経験的に生成され、さらに／またはポピュレートされる。例えば、試験エンジニアが、無線通信システムのサービスエリアを試験走行し、特殊な機器を使用して、隣接する区域におけるスペクトル全体をスキャンすることが可能である。これらの測定を使用して、セクタ／セル・カバレッジ内の様々な試験位置に位置する移動ユニットに最も見えやすい可能性が高いパイロット信号が特定されることが可能である。特定されたパイロットは、セクタ−キャリアごとに、システム構成に手動でポピュレートされる。各セクタ−キャリアは、試験プロセス全体、および関連する構成が完了し、検証されて初めて、運用が開始されることが可能である。
【０００８】
近隣リストを生成するため、および／またはポピュレートするための従来の技術は、時間に影響されやすく、費用がかさみ、誤りが生じやすい。測定を実行する際、または記録する際、ならびに近隣リストをポピュレートして、無線通信システムを構成する際の人為ミスが、誤った近隣リスト、または不正確な近隣リストを生じさせる可能性がある。また、近隣リストは、試験エンジニアが、サービスエリア内の区域を迂回した場合、または抜かした場合、やはり誤っている、または不正確である可能性がある。さらに、従来の技術を使用して割り出された近隣リストは、静的であり、パイロット信号強度またはセル境界の時間依存の変化に応じることができない。これらの不正確さは、システムのパフォーマンスを低下させる可能性があり、一部の事例では、相当な機能停止を生じさせる可能性さえある。
【発明の開示】
【発明が解決しようとする課題】
【０００９】
本発明は、前述した問題の１つまたは複数の影響に対処することに向けられる。以下に、本発明のいくつかの態様の基本的な理解をもたらすために、本発明の簡略化された概要を提示する。この概要は、本発明の網羅的な概観ではない。この概要は、本発明の重要な要素、または不可欠な要素を特定すること、または本発明の範囲を線引きすることは意図していない。この概要の唯一の目的は、後述される、より詳細な説明の前置きとして、いくつかの概念を簡略化された形態で提示することである。
【課題を解決するための手段】
【００１０】
本発明の一実施形態において、無線通信システムにおいて近隣リストを動的に形成するための方法が、提供される。この方法の実施形態は、少なくとも１つの移動ユニットによって提供される情報に基づいて、少なくとも１つのセクタに関連する近隣リストを形成することを含むことが可能である。この方法の他の実施形態は、少なくとも１つの移動ユニットによって提供される情報を、少なくとも１つのセクタに関連する近隣リストが、この情報に基づいて形成されるように、提供することを含むことが可能である。
【００１１】
本発明は、同様の符号が同様の要素を特定する添付の図面と併せて解釈される、以下の説明を参照して理解することができる。
【発明を実施するための最良の形態】
【００１２】
本発明は、様々な変形形態および代替形態が可能であるが、本発明の特定の実施形態が、例として、図面に示されており、本明細書で詳細に説明される。しかし、特定の実施形態の、本明細書における説明は、本発明を、開示される特定の形態に限定することを意図するものではなく、それどころか、本発明は、添付の特許請求の範囲によって規定される本発明の趣旨および範囲に含まれるすべての変形形態、均等形態、および代替形態を範囲に含むものとされることを理解されたい。
【００１３】
本発明の例示的な実施形態を以下に説明する。簡明のため、実際の実施形態のすべての特徴を、本明細書で説明するわけではない。もちろん、いずれのそのような実際の実施形態の開発においても、実施形態ごとに異なる、システム関連の制約、およびビジネス関連の制約の順守などの、開発者の特定の目標を達するのに、多数の実施形態特有の決定が行われるべきことが、認識されよう。さらに、そのような開発の取り組みは、複雑で、時間がかかる可能性があるが、それでも、本開示を利用する当業者には日常的な作業であることが、認識されよう。
【００１４】
本発明の諸部分、および対応する詳細な説明は、ソフトウェア、つまり、コンピュータ・メモリ内のデータ・ビットに対する操作のアルゴリズムおよび記号表現の点で提示される。これらの説明および表現は、当業者が、他の当業者に自らの作業の内容を効果的に伝える説明および表現である。本明細書で使用される用語として、さらに一般的に使用される際にも、アルゴリズムは、所望される結果につながる自己矛盾のない一連のステップと考えられる。これらのステップは、物理量の物理的操作を要求するステップである。通常、必然的にではないものの、これらの量は、格納されること、転送されること、組み合わされること、比較されること、さらにそれ以外で操作されることが可能な、光信号、電気信号、または磁気信号の形態をとる。ときとして、主として一般的な用法の理由で、これらの信号をビット、値、要素、シンボル、文字、項、数などと呼ぶことが好都合であることが分かっている。
【００１５】
しかし、これら、および類似する用語のすべては、適切な物理量に関連付けられるべきであり、単に、これらの量に付けられた便利なラベルに過ぎないことに留意されたい。特に明記しない限り、または説明から明白なとおり、「処理すること」、または「計算すること」、または「算出すること」、または「割り出すこと」、または「表示すること」などの用語は、コンピュータ・システムのレジスタ内およびメモリ内の物理的な、電子的量として表されたデータを操作して、コンピュータ・システム・メモリ内またはコンピュータ・システム・レジスタ内、あるいは他のそのような情報記憶デバイス内、情報伝送デバイス内、または情報表示デバイス内の物理量として同様に表される他のデータに変換する、コンピュータ・システム、または類似した電子コンピューティング・デバイスのアクションおよびプロセスを指す。
【００１６】
また、本発明の、ソフトウェアによって実施される態様は、通常、何らかの形態のプログラム記憶媒体上に符号化される、または何らかのタイプの伝送媒体を介して実施されることにも留意されたい。プログラム記憶媒体は、磁気媒体（例えば、フロッピー（登録商標）ディスクまたはハードドライブ）であっても、光媒体（例えば、コンパクトディスク読み取り専用メモリ、つまり、「ＣＤ  ＲＯＭ」）であってもよく、読み取り専用であっても、ランダムアクセス型であってもよい。同様に、伝送媒体は、対より線、同軸ケーブル、光ファイバ、または当技術分野で知られている他の何らかの適切な伝送媒体であることが可能である。本発明は、任意の所与の実施形態のこれらの態様によって限定されない。
【００１７】
次に、本発明を、添付の図を参照して説明する。様々な構造、システム、およびデバイスが、単に説明のために、当業者によく知られている詳細で本発明を不明瞭にしないように、図面に概略で示される。それでも、添付の図面は、本発明の例示的な例を示し、説明するように含められる。本明細書で使用される語および句は、当業者による、それらの語および句の理解と合致する意味を有するものと理解され、解釈されるべきである。語または句の特殊な定義、すなわち、当業者によって理解される通常の、慣例的な意味とは異なる定義が、本明細書における語または句の一貫した使用によって暗示されることは、全く意図していない。語または句が特殊な意味、すなわち、当業者によって理解される以外の意味を有することが意図される限りにおいて、そのような特殊な定義は、その語または句に関して、その特殊な定義を直接に、明瞭に与えるように定義する仕方で、本明細書において明確に示される。
【００１８】
図１は、無線通信システム１００の１つの例示的な実施形態を概念的に示す。図示される実施形態において、無線通信システム１００は、セル１０５、１１０、ならびに近隣セルＡ〜Ｈに無線接続を提供する。セル１０５、１１０（およびセルＡ〜Ｈの部分）は、図１に六角形として示され、六角形は、単一の全方向性の基地局またはノードＢ（図示せず）から無線接続を受信するセルの形状にほぼ対応する。しかし、六角形のセル１０５、１１０、Ａ〜Ｈは、セルの形状の理想化された近似であり、実際のセルは、不規則な、重なり合い、さらに／または時間につれ変化するセル境界を有することが可能であることが、本開示を利用する当業者には認められよう。さらに、セル１０５、１１０、Ａ〜Ｈは、セル１０５、１１０、Ａ〜Ｈにおける基地局に関連する様々なアンテナから無線接続を受信するセクタに分割されることが可能であることも、本開示を利用する当業者には認められよう。セクタは、通常、ほぼ楔形であり、この楔の頂点は、基地局の位置とほぼ合致する。
【００１９】
移動ユニット１１５が、セル１０５、１１０、Ａ〜Ｈにおける１つまたは複数の基地局との無線インタフェースを介して、無線通信システム１００にアクセスすることが可能である。無線インタフェースを確立するため、維持するため、および／または機能させるための技術は、当技術分野で知られており、簡明のため、本発明に関係がある、無線インタフェースを介する無線通信の態様だけを、本明細書でさらに説明する。移動ユニット１１５が、（サービスを提供する）セル１０５を介して無線接続を受信している場合、無線通信システム１００内の１つまたは複数のエンティティが、移動ユニット１１５に近隣リストを提供することが可能である。本明細書で使用され、当技術分野における用法による「近隣リスト」という用語は、移動ユニット１１５に関する現在のサービスを提供するセルの近隣であるセルの任意のセル、またはすべてのセルを示す情報を指すものと理解される。近隣セルは、現在のサービスを提供するセルによるサービスを受ける地理的区域に隣接する、またはそのような区域と少なくとも部分的に重なり合う地理的区域に無線接続を提供する。例えば、セル１０５が、移動ユニット１１５に関する、サービスを提供するセルである場合、移動ユニット１１５は、セル１１０、Ａ〜Ｃ、Ｇ〜Ｈが、サービスを提供するセル１０５の近隣であることを示す近隣リストを受信することが可能である。実際には、実際の近隣セルは、基地局によって提供される信号の実際の無線周波数伝搬特性によって割り出される。これらの特性は、時間的、および／または空間的に変動し、したがって、システム１００によって保持される近隣リストは、任意の所与の時点で実際の近隣に対応することも、対応しないことも可能である。
【００２０】
移動ユニット１１５は、様々な目的で近隣リストを使用することができる。一実施形態では、移動ユニット１１５は、近隣リストを使用して、近隣セルにハンドオーバするか否かを決定する。例えば、移動ユニット１１５が、セル１０５内にある場合、移動ユニット１１５は、近隣リストの中で示されるセル１１０、Ａ〜Ｃ、Ｇ〜Ｈに無線接続を提供する基地局によって提供されるパイロット信号を監視することができる。移動ユニット１１５は、セル１１０、Ａ〜Ｃ、Ｇ〜Ｈのそれぞれからのパイロット信号の信号強度を割り出し、この情報を使用して、現在のサービスを提供するセル１０５から、近隣セル１１０、Ａ〜Ｃ、Ｇ〜Ｈの１つにハンドオフするか否かを決定することができる。例えば、セル１１０から受信されるパイロット信号の信号強度が、サービスを提供するセル１０５から受信されるパイロット信号の信号強度と同等以上である場合、移動ユニット１１５は、矢印１２０によって示されるとおり、セル１１０への、ソフトハンドオーバなどのハンドオーバを開始することができる。
【００２１】
また、移動ユニット１１５は、本発明の一実施形態によれば、サービスを提供するセル１０５に関連する近隣リストに入っていないパイロット信号を監視することもできる。例えば、移動ユニット１１５が、セル１０５、１１０を相手にソフトハンドオフ中である場合、無線通信システム１００は、移動ユニット１１５の、このソフトハンドオフに関与するセル１０５、１１０の近隣、例えば、セル１０５、１１０、Ａ〜Ｈを含む複合近隣リストを形成することができる。次に、この複合近隣リストが、移動ユニット１１５に提供されることが可能であり、ユニット１１５は、この複合近隣リストの中で示されるセルに関連するパイロット信号を監視することができる。本発明は、ソフトハンドオフ中に形成される複合近隣リストに限定されないことが、本開示を利用する当業者には認識されよう。代替の実施形態では、移動ユニット１１５は、例えば、無線通信システム１００によって提供される履歴情報、または他の情報を使用して、測定および／または監視から任意の仕方で、さらなるパイロット信号を選択することができる。例えば、移動ユニット１１５は、移動ユニット１１５によって現在、監視される、または以前に監視されたパイロット信号を示す情報を格納することができるローカル近隣セット・アレイおよび／または残留セット・アレイを保持することができる。
【００２２】
パイロット信号を測定すること、または監視することによって移動ユニット１１５によって収集された情報は、本発明の一実施形態によれば、セル１０５、１１０の１つまたは複数に関連する近隣リストを割り出す、および／または変更するのに使用されることが可能である。一実施形態では、複合近隣リストの中のセル１０５、１１０、Ａ〜Ｈによって提供されるパイロット信号の信号強度は、後段で詳細に説明されるとおり、近隣リストにセルを追加するために、または近隣リストからセルを取り去るために、１つまたは複数の閾値と比較されることが可能である。
【００２３】
図２は、近隣リストを形成する方法２００の１つの例示的な実施形態を概念的に示す。図示される実施形態において、方法２００は、初期近隣リストが生成されて、移動ユニットが、この近隣リストの中に格納された情報を使用して、無線通信システムのソフトハンドオフ領域内の任意の２つのセクタまたはセルの間で遷移することができることが可能であるものと想定する。例えば、現在のサービスを提供するセクタまたはセルに関する初期近隣リストの中で示されるパイロット信号を監視する移動ユニットは、この初期近隣リストの中で示される他のセクタへのソフトハンドオフを実行することができる。一実施形態では、初期近隣リストは、地理的ネットワーク・レイアウトマップ、およびこのネットワーク内の基地局および／またはアンテナによって提供される信号の伝搬損失に関するモデルを使用して、生成されることが可能である。このモデルは、理論上の無線周波数モデル、および／または経験的な無線周波数モデルであることが可能である。初期近隣リストは、生成されると、システム全体にポピュレートされることが可能である。
【００２４】
また、方法２００の部分を実施する移動ユニットは、いずれの単一のセルに関連する近隣リストにも含まれていない１つまたは複数のセクタまたはセルに関連するパイロット信号を監視していることも想定される。例えば、図示される実施形態において、移動ユニットは、この移動ユニットが、２つのセクタまたはセルの間でソフトハンドオフ中であった際に形成された複合近隣リストに関連する、パイロット信号を監視しているものと想定される。移動ユニットは、前述した初期近隣リストを使用して形成された複合近隣リストなどの、複合近隣リストの中で示されるセルまたはセクタに関連する１つまたは複数のパイロット信号を測定することができる（２０５で）。次に、移動ユニットは、この複合近隣リストの中で示されるパイロット信号のそれぞれに関連する信号強度（ＳＳ）を割り出すことができる。
【００２５】
次に、移動ユニットは、これらのパイロット信号の１つまたは複数の信号の信号強度を、無線通信システム内の或るエンティティに報告することが可能であり、このエンティティが、そのパイロット信号を提供するセルまたはセクタが、現在のサービスを提供するセルの近隣リストに追加されるように考慮されるべきことを示す信号強度に関する閾値（ＳＳ＿ＡＤＤ）を、その信号強度が超えているかどうかを判定する（２１０で）。その信号強度が、（２１０で）この信号強度閾値（ＳＳ＿ＡＤＤ）を超えている場合、そのセルまたはセクタに関連するカウンタ（ＣＯＵＮＴ＿１）が、インクリメントされることが可能である（２１５で）。カウンタ（ＣＯＵＮＴ＿１）の値が、（２２０で）或る閾値（ＣＯＵＮＴ＿ＡＤＤ）を超えた場合、そのセルまたはセクタは、現在のサービスを提供するセルの近隣リストに追加されることが可能である（２２５で）。カウンタ（ＣＯＵＮＴ＿１）の値が、（２２０で）この閾値（ＣＯＵＮＴ＿ＡＤＤ）を超えていない場合、無線通信システムは、移動ユニットからの後続のレポートを待つことが可能である。前述したカウンタおよび閾値（ＣＯＵＮＴ＿１、ＣＯＵＮＴ＿ＡＤＤ）を実装することは、或るセルまたはセクタが近隣リストに追加されるべきことを必ずしも示さない可能性がある、信号強度の過渡的な変動を除去するのに役立つ可能性がある。
【００２６】
信号強度が、（２１０で）近隣リストに追加するための信号強度閾値（ＳＳ＿ＡＤＤ）を超えていない場合、無線通信システムは、その信号強度が、近隣リストからそのセルまたはセクタを取り除くための閾値（ＳＳ＿ＳＵＢ）を下回って低下するか否かを判定することが可能である（２３０で）。その信号強度が、この閾値（ＳＳ＿ＳＵＢ）を下回って低下しない場合、無線通信システムは、移動ユニットから後続のパイロット信号強度レポートを待つことが可能である。その信号強度が、（２１０で）この閾値（ＳＳ＿ＳＵＢ）を下回って低下する場合、そのセルまたはセクタは、現在のサービスを提供するセルに関連する近隣リストから取り除かれる候補であることが可能であり、したがって、カウンタ（ＣＯＵＮＴ＿２）が、インクリメントされることが可能である（２３５で）。カウンタ（ＣＯＵＮＴ＿２）が、（２４０で）近隣リストからそのセルまたはセクタを取り除くための閾値（ＣＯＵＮＴ＿ＳＵＢ）を超えない場合、無線通信システムは、移動ユニットから後続のレポートを待つことが可能である。カウンタ（ＣＯＵＮＴ＿２）が、（２４０で）この閾値（ＣＯＵＮＴ＿ＳＵＢ）を超える場合、無線通信システムは、現在のサービスを提供するセルに関連する近隣リストから、そのセルまたはセクタを取り除くことができる（２４５で）。前述したカウンタおよび閾値（ＣＯＵＮＴ＿２、ＣＯＵＮＴ＿ＳＵＢ）を実装することは、或るセルまたはセクタが近隣リストから取り除かれるべきことを必ずしも示さない可能性がある、信号強度の過渡的な変動を除去するのに役立つ可能性がある。
【００２７】
前述したカウンタは、整数値だけインクリメントされるものの、本発明は、この技術に限定されない。例えば、前述したカウンタは、関連するパイロット信号の信号強度に比例する（またはそのような信号強度によって重み付けされた）値だけインクリメント（またはデクリメント）されてもよい。さらに、代替の実施形態において、必ずしもカウンタを使用して、信号強度の過渡的な変動が除去されなくてもよい。
【００２８】
無線通信システムにおいて近隣リストを動的に形成するための前述した技術の実施形態は、セルラーネットワークにおけるセルまたはセクタに関する近隣リストを生成して、保持する自動的方法を提供することができる。近隣リストを生成して、保持することは、サービスプロバイダによって支払いが行われなければならない高コストのＯＰＥＸ（運用費用）であると考えられる。このため、前述した技術の実施形態は、サービスプロバイダのＯＰＥＸを大幅に低減することができる。さらに、人間中心の走行試験およびポピュレートの代わりにネットワーク・インテリジェンスを使用することによって、前述した技術の実施形態に従って生成され、保持される近隣リストは、従来の事前に割り出された近隣リストと比べて、はるかに正確であり、堅牢である。
【００２９】
本発明は、本明細書の教示を利用する当業者には明白な、異なるが、均等な仕方で変形され、実施されることが可能であるので、前述した特定の実施形態は、単に例示的である。さらに、添付の特許請求の範囲に記載される以外、本明細書で示される構成または設計の詳細への限定は、全く意図されていない。したがって、以上に開示される特定の実施形態は、変更される、または変形されることが可能であり、すべてのそのような変種が、本発明の範囲および趣旨に含まれると考えられることが明白である。したがって、本明細書で求められる保護は、添付の特許請求の範囲に示される。
【図面の簡単な説明】
【００３０】
【図１】本発明による無線通信システムの１つの例示的な実施形態を概念的に示す図である。
【図２】本発明による近隣リストを形成する方法の１つの例示的な実施形態を概念的に示す図である。
【図１】
2009542104.tif 000003
【図２】
2009542104.tif 000004
【国際調査報告】
2009542104.tif 000005
2009542104.tif 000006